(57)【要約】      （修正有）【課題】簡易な取付作業で迅速に形成することができ、かつ、作業者が１人でも取付作業を行うことのできる断熱構造を提供する。【解決手段】屋根構造１において隣接する垂木２と野地板３に囲まれる空間に形成される断熱構造。弾性変形可能な素材により形成され、断面Ｈ型の形状を有し、平板状のウェブと、ウェブに対して垂直に立設された一対の板状のフランジを備える固定部材７と、固定部材７を用いて、垂木２を覆うようにして垂木２に固定される透湿防水シート６と、透湿防水シート６の表面に形成される発泡ウレタン素材６と、を備える。【選択図】図１
2016065404.tif 000002
【特許請求の範囲】
【請求項１】
屋根構造において隣接する垂木と野地板に囲まれる空間に形成される断熱構造であって、
弾性変形可能な素材により形成され、断面Ｈ型の形状を有し、平板状のウェブと、ウェブに対して垂直に立設された一対の板状のフランジを備える固定部材と、
前記固定部材を用いて、前記垂木を覆うようにして前記垂木に固定されるシートと、
前記シートの表面に形成される断熱材と、
を備えることを特徴とする断熱構造。
【請求項２】
前記フランジは、前記ウェブの一面側から立設された一対の上部フランジと、前記ウェブの他面側から立設された一対の下部フランジとを備え、
前記上部フランジの内側面には、前記上部フランジの立設方向に垂直に設けられた条状の凹凸部が設けられている、
ことを特徴とする請求項１記載の断熱構造。
【請求項３】
前記固定部材は樹脂を用いて形成されていることを特徴とする請求項１又は２記載の断熱構造。
【請求項４】
前記断熱材は発泡ウレタン素材により形成されていることを特徴とする請求項１乃至３の何れか一項記載の断熱構造。
【請求項５】
前記シートは透湿防水シートであることを特徴とする請求項１乃至４の何れか１項記載の断熱構造。
【請求項６】
前記固定部材の前記側板は前記垂木の高さよりも３０〜３５ｍｍ低いことを特徴とする請求項１乃至５の何れか１項記載の断熱構造。
【発明の詳細な説明】
【技術分野】
【０００１】
本発明は、建築物の屋根部に施工される断熱構造に関するものである。
【背景技術】
【０００２】
従来から、建築物の屋根部分において断熱効果を発揮するため、野地板の下面に断熱材を取り付けることで、断熱構造を形成することが行われている。
【０００３】
こうした断熱構造では、野地板と断熱材との間に結露が発生することを防止するとともに、野地板から伝わる熱を発散するため、野地板と断熱材との間に通気層を形成し、空気を対流させることが行われている。
【０００４】
このような通気層を有する断熱構造の一例として、特許文献１には、垂木の下面に熱反射フィルムを張り付けて形成される断熱構造が記載されている。
【０００５】
こうした断熱構造は、垂木の表面に両面テープやステープル（タッカー）を用いて熱反射フィルムを張り付けるのみの簡易な作業により迅速に形成することができ、隣接する垂木間に形成される空間が通気層としての役割を果たすことができる。
【０００６】
しかし、通気層を設けただけでは空気の対流が効果的に行われるとは限らない。空気の対流を効果的に行うためには、上述した通気層を所定の大きさで形成する必要があるが、特許文献１に記載の技術では、通気層の大きさは垂木の大きさに依存するため、その大きさを適切なものに調節することはできなかった。
【０００７】
そこで、別の断熱構造の例として、図８及び図９に示す断熱構造がある。図８は、従来の断熱構造の一例についてこれが形成される途中の段階を示す模式図であり、図９は従来の断熱構造の一例を示す模式図である。
【０００８】
図９に示す屋根構造１０では、垂木２０上に載置された野地板３０と、野地板３０の表面に形成された防水層４０と、防水層４０上に形成された外装板５０とを備えるとともに、野地板３０の内側に、断熱構造９０が形成されている。
【０００９】
断熱構造９０は、断熱層６０、釘７０及び発泡ウレタン素材８０を備えて構成されていて、断熱層６０が隣接する垂木２０間に取り付けられることで、適切な大きさの通気層Ｓ’が形成されるようになっている。
【００１０】
具体的には、断面Ｍ字状であり、通気性を有する段ボール等から形成される断熱層６０が、釘７０を用いて垂木２０に取り付けられることで、野地板３０との間に適切な大きさである高さＰ’の通気層Ｓ’が形成される。
【００１１】
そして、取り付けられた断熱層６０の表面に断熱材としての発泡ウレタン素材８０が吹き付け等により形成されることで、断熱構造９０が形成される。
【先行技術文献】
【特許文献】
【００１２】
【特許文献１】特開平５−０１４４８号公報
【発明の概要】
【発明が解決しようとする課題】
【００１３】
しかし、上述した図８及び図９に示す断熱構造９０は、垂木２０に断熱層６０を打ち付ける際に、作業者が断熱層６０を支えこれを野地板３０に当接させつつ垂木２０の側面から釘７０を打ち込む必要があるため、作業が煩雑で長時間を要し、かつ作業者が１人では取付作業を行いづらいものであった。
【００１４】
そのため、適切な大きさの通気層を形成しつつ、簡易な取付作業で迅速に形成することができ、作業者が１人でも取付作業を行うことのできる断熱構造が望まれていた。
【００１５】
そこで、本発明は、上述した問題点に鑑みて案出されたものであり、簡易な取付作業で迅速に形成することができ、かつ、作業者が１人でも取付作業を行うことのできる断熱構造を提供することを目的とする。
【課題を解決するための手段】
【００１６】
第１発明に係る断熱構造は、屋根構造において隣接する垂木と野地板に囲まれる空間に形成される断熱構造であって、弾性変形可能な素材により形成され、断面Ｈ型の形状を有し、平板状のウェブと、ウェブに対して垂直に立設された一対の板状のフランジを備える固定部材と、前記固定部材を用いて、前記垂木を覆うようにして前記垂木に固定されるシートと、前記シートの表面に形成される断熱材と、を備えることを特徴とする。
【００１７】
第２発明に係る断熱構造は、第１発明において、前記フランジは、前記ウェブの一面側から立設された一対の上部フランジと、前記ウェブの他面側から立設された一対の下部フランジとを備え、前記上部フランジの内側面には、前記上部フランジの立設方向に垂直に設けられた条状の凹凸部が設けられている、ことを特徴とする。
【００１８】
第３発明に係る断熱構造は、第１又は第２発明において、前記固定部材は樹脂を用いて形成されていることを特徴とする。
【００１９】
第４発明に係る断熱構造は、第１乃至第３発明の何れか１つにおいて、前記断熱材は発泡ウレタン素材により形成されていることを特徴とする。
【００２０】
第５発明に係る断熱構造は、第１乃至第４発明の何れか１つにおいて、前記シートは透湿防水シートであることを特徴とする。
【００２１】
第６発明に係る断熱構造は、第１乃至第５発明の何れか１つにおいて、前記固定部材の前記側板は前記垂木の高さよりも３０〜３５ｍｍ低いことを特徴とする。
【発明の効果】
【００２２】
上述した構成からなる本発明によれば、簡易な取付作業で迅速に形成することができ、かつ、作業者が１人でも取付作業を行うことが可能となる。
【図面の簡単な説明】
【００２３】
【図１】本発明の実施形態に係る断熱構造を示す模式図である。
【図２】使用前の固定部材を示す（Ａ）は斜視図、（Ｂ）は正面図である。
【図３】使用時の固定部材を示す（Ａ）は斜視図、（Ｂ）は正面図である。
【図４】断熱構造が取り付けられる前の屋根構造を示す模式図である。
【図５】垂木に透湿防水シートを取り付ける過程を示す模式図である。
【図６】垂木に透湿防水シートが取り付けられた状態を示す模式図である。
【図７】屋根構造に断熱構造が形成された状態を示す模式図である。
【図８】従来の断熱構造の一例についてこれが形成される途中の段階を示す模式図である。
【図９】従来の断熱構造の一例を示す模式図である。
【発明を実施するための形態】
【００２４】
以下、本発明の実施形態に係る断熱構造について詳細に説明する。
【００２５】
図１は、本発明の実施形態に係る断熱構造９を示す模式図である。図２は、使用前の固定部材７を示す（Ａ）は斜視図、（Ｂ）は正面図である。図３は、使用時の固定部材７を示す（Ａ）は斜視図、（Ｂ）は正面図である。図４は、断熱構造９が取り付けられる前の屋根構造１を示す模式図である。
【００２６】
本実施形態に係る断熱構造９は、垂木２上に載置された野地板３と、野地板３の表面に形成された防水層４と、防水層４上に形成された瓦や装飾パネル等の外装板５とを備えて構成される屋根構造１の内側において、隣接する垂木２と野地板３に囲まれる空間に形成されるものである。
【００２７】
断熱構造９は、透湿防水シート６と、透湿防水シート６を垂木２に固定する固定部材７と、透湿防水シート６の表面に形成された断熱材としての発泡ウレタン素材８と、を備えて構成されている。
【００２８】
透湿防水シート６は、布帛や多孔質の樹脂シート等により構成されている、透湿性及び防水性を備えるシートである。この透湿防水シート６は、少なくとも隣接する２つの垂木２間の距離よりも広い幅を備えていて、２つ以上の垂木２間に架け渡されるようになっている。この透湿防水シート６は、固定部材７を介して垂木２に固定されている。
【００２９】
なお、本実施形態においては透湿防水シート６が用いられているが、本発明においてはこれに限らず、透湿性や防水性を備えないシートであっても、断熱材をその表面に形成しうるものであれば好適に用いることができる。ただし、屋根構造１においては透湿性や防水性を強化することは重要な課題であるため、透湿防水シート６を用いることが好ましい。
【００３０】
固定部材７は、その弾性変形力により透湿防水シート６を垂木２に固定する部材である。すなわち、固定部材７は弾性変形可能な素材により形成される部材であり、本実施形態においては軽量かつ製造コストの安い樹脂製のものが想定されているが、弾性変形可能な素材であれば好適に用いることができ、金属等の素材も用いることができる。
【００３１】
固定部材７は断面Ｈ型の形状を有し、平板状のウェブ７１と、ウェブ７１に対して垂直に立設された一対の板状のフランジ７２を備えて構成されている。
【００３２】
ウェブ７１は、通常の状態、すなわち固定部材７の未使用時には図２に示すように弧状に変形した状態となる平板材であり、固定部材７の使用時には水平な平板状に弾性変形する。
【００３３】
フランジ７２は、ウェブ７１の一面側から立設された上部フランジ７２１と、ウェブ７１の他面側から立設された下部フランジ７２３とを備えて構成されている。
【００３４】
上部フランジ７２１は、透湿防水シート６の垂木２への固定に供される部位である。固定部材７の未使用時には固定部材７は２つの上部フランジ７２１の先端部分の間隔Ｗ１が、使用時に２つの上部フランジ７２１が略平行となった状態における間隔Ｗ２よりも狭くなった状態となっている。
【００３５】
２つの上部フランジ７２１の先端部分近傍であって互いに対向する面（内側面）には、上部フランジ７２１の立設方向に垂直に設けられた条状の凹凸部７２５が設けられている。固定部材７の使用時にはこの凹凸部７２５が透湿防水シート６に食い込み、固定部材７の脱落が効果的に防止される。
【００３６】
また、上部フランジ７２１の先端部分において、外側面から垂直に立設された平板状の上面部７２２が設けられている。固定部材７の使用時にはこの上面部７２２の表面に透湿防水シート６が載置され支持される態様となり、透湿防水シート６をたるませることなく固定することができる。なお、この上面部７２２は本発明においては必須の構成ではない。
【００３７】
更に、上部フランジ７２１の外側面において、ウェブ７１からの上部フランジ７２１の立設方向と平行な方向に沿い形成されたリブ７２４が設けられている。リブ７２４が設けられていることで、上部フランジ７２１の機械的強度が高められている。なお、このリブ７２４は本発明においては必須の構成ではない。
【００３８】
下部フランジ７２３は、固定部材７を使用する際に作業者に把持される部位である。作業者が下部フランジ７２３を手で持ちこれを握りしめることにより、上部フランジ７２１を図２に示す閉じた状態から図３に示す開いた状態へと変形することができる。
【００３９】
図２に示す固定部材７の使用状態において、２つの上部フランジ７２１間の距離Ｗ１は、垂木２の幅Ｍよりも狭くなっている。一方、図３に示す固定部材７の使用状態において、２つの上部フランジ７２１間の距離Ｗ２は、垂木２の幅Ｍよりも広く形成されている。
【００４０】
そして、固定部材７により防水シート６を固定する際には、作業者は透湿防水シート６を垂木２に当接させる。そして、作業者は固定部材７の下側フランジ７２３を握りしめて上部フランジ７２１を開き、開かれた上部フランジ７２１により透湿防水シート６と垂木２とを挟み込む。最後に作業者が下部フランジ７２３から手を放すことにより、固定部材７は弾性復元力により元の状態に戻り、透湿防水シート６は垂木２に固定される。
【００４１】
固定部材７の上部フランジ７２１の高さＨは、垂木２の高さＬより低くなっている（Ｈ＜Ｌ、図４参照）。こうした固定部材７と垂木の２高さの差Ｐ（Ｐ＝Ｌ−Ｈ）があることで、断熱構造９に通気層Ｓが形成される。この高さの差Ｐ、すなわち通気層Ｓの高さＰは、通気層Ｓ内を空気が効率よく対流し、結露の発生防止や熱の発散を効果的に行い得るように設定されている。
【００４２】
なお、厳密には通気層Ｓの高さＰは透湿防水シート６の厚さの分低くなるが、透湿防水シート６の厚さは最大でも２ｍｍ程度と薄く、この厚さが通気層Ｓの高さＰに及ぼす影響は殆ど無いため、本実施形態においてはこれを考慮しない。
【００４３】
本実施形態において、通気層Ｓの高さＰの範囲、すなわち垂木２の高さとフランジ７２の高さの差の範囲は、３０〜３５ｍｍが想定されている。一般的に、野地板３の裏面において形成される通気層Ｓは、この範囲の高さを有することで、空気の対流を効率的に行うことができる。
【００４４】
断熱材８は、発泡ウレタン素材を吹き付けることで透湿防水シート６の表面に形成される、断熱効果を有する素材である。
【００４５】
次に、上述した本実施形態に係る断熱構造９の形成工程について説明する。図５は、垂木２に透湿防水シート６を取り付ける過程を示す模式図である。図６は、垂木２に透湿防水シート６が取り付けられた状態を示す模式図である。
【００４６】
断熱構造９の形成では、まず、透湿防水シート６が固定部材７を用いて垂木２に固定される。このとき、透湿防水シート６は、垂木２の先端部分を覆うようにして固定される。また、透湿防水シート６は、隣接する複数の垂木２（本実施形態では３つ以上）を覆うようにして固定される。
【００４７】
こうして固定された透湿防水シート６と野地板３との間には、高さＰの通気層Ｓが形成される。上述したように、通気層Ｓの高さＰは、垂木２の高さＬと、固定部材７の上部フランジ７２１の高さＨにより決まるものである。そして、通気層Ｓの高さＰは、空気を効率的に対流することができ、結露の発生防止や熱の拡散を効率的に行うことを可能とする高さとなっている。
【００４８】
固定部材７による透湿防水シート６の固定は、少なくとも透湿防水シート６の垂木２の延展方向（図７の紙面に垂直な方向）における両端部に固定部材７が取り付けられることで行われる。固定部材７の取り付けの個数は任意であり、透湿防水シート６や発泡ウレタン素材８の重量等に応じて適宜調節することができる。
【００４９】
この透湿防水シート６の固定は、固定部材７を用いることで簡易な作業で迅速に行うことができる。また、固定部材７を嵌め込むだけで透湿防水シート６を垂木２に固定することができるため、作業者が一人であっても容易に作業を行うことができる。
【００５０】
次に、隣接する垂木２の間において、透湿防水シート６の表面に、断熱材としての発泡ウレタン素材８が、発泡ウレタン材料の建設現場における吹き付け等により形成される。図７は、屋根構造１に断熱構造９が形成された状態を示す模式図である。
【００５１】
なお、本実施形態においては断熱材として発泡ウレタン素材８が用いられているが、本発明においてはこれに限らず、現場で透湿防水シート６の表面に簡易に断熱材を形成可能なものであればいかなる素材を用いてもよい。
【００５２】
このようして、野地板３の裏面に通気層Ｓを介して断熱構造９が形成される。本実施形態に係る断熱構造９によると、簡易な取付作業で迅速に形成することができ、かつ、作業者が１人でも取付作業を行うことができる。
【符号の説明】
【００５３】
１  屋根構造
２  垂木
３  野地板
４  防水層
５  外装板
６  透湿防水シート
７  固定部材
８  発泡ウレタン素材
９  断熱構造
【図１】
2016065404.tif 000003
【図２】
2016065404.tif 000004
【図３】
2016065404.tif 000005
【図４】
2016065404.tif 000006
【図５】
2016065404.tif 000007
【図６】
2016065404.tif 000008
【図７】
2016065404.tif 000009
【図８】
2016065404.tif 000010
【図９】
2016065404.tif 000011